(57)【要約】【課題】印刷装置で表現可能な範囲外にある特色を、高い近似度の色彩で適切に印刷する。【解決手段】カラーマッチング処理をコンピュータに行わせるプログラムであって、印刷データに対する入力色取得処理と、印刷装置の色再現性に応じた出力用ＩＣＣプロファイル２０を用いて、入力色を、印刷装置で用いられるＣＭＹＫインクにおける各色の混合比率により表現される出力色に変換する色変換処理とをコンピュータに実行させ、入力色取得処理は、少なくとも、ＣＭＹＫインクにより表現可能な色として予め用意された通常色以外の色である特色を入力色として取得し、出力用ＩＣＣプロファイル２０は、通常色を出力色に変換する場合に用いる通常色変換用部分２２と、特色を出力色に変換する場合に用いる特色変換用部分２４とを有し、色変換処理は、通常色変換用部分２２を用いて、特色を出力色に変換する。【選択図】図１
2010010862.tif 000002
【特許請求の範囲】
【請求項１】
印刷データにおいて用いられる色に対するカラーマッチング処理をコンピュータに行わせるプログラムであって、
前記印刷データにおいて用いられる色である入力色を取得する入力色取得処理と、
ＣＭＹＫインクを用いてカラー印刷を行う印刷装置の色再現性に応じたＩＣＣプロファイルである出力用ＩＣＣプロファイルを用いて、前記入力色を、前記印刷装置で用いられるＣＭＹＫインクにおける各色の混合比率により表現される色である出力色に変換する色変換処理と
を前記コンピュータに実行させ、
前記入力色取得処理は、少なくとも、ＣＭＹＫインクにより表現可能な色として予め用意された色である通常色以外の色である特色を前記入力色として取得し、
前記出力用ＩＣＣプロファイルは、前記通常色を前記出力色に変換する場合に用いる通常色変換用部分と、前記特色を前記出力色に変換する場合に用いる特色変換用部分とを有し、
前記色変換処理は、前記出力用ＩＣＣプロファイルにおける前記特色変換用部分を用いて、前記特色を前記出力色に変換することを特徴とするプログラム。
【請求項２】
前記入力色取得処理は、前記通常色を、入力色として更に取得し、
前記色変換処理は、前記出力用ＩＣＣプロファイルにおける前記通常色変換用部分を用いて、前記通常色を前記出力色に変換し、
前記通常色は、ＣＭＹＫ表色系で表現される色であり、前記特色は、Ｌａｂ表色系で表現される色であり、
前記出力用ＩＣＣプロファイルは、Ｌａｂ表色系で表現される色と、前記印刷装置で表現可能な範囲内にあるＣＭＹＫ表色系の色とを対応付けるＩＣＣプロファイルであり、
前記出力用ＩＣＣプロファイルの前記特色変換用部分は、Ｌａｂ表色系で表現される前記特色と、前記特色に代えて印刷時に使用する前記出力色とを対応付け、
前記通常色を前記出力色に変換する場合、前記色変換処理は、ＣＭＹＫ表色系で表現される前記通常色と、Ｌａｂ表色系で表現される色とを対応付けるＩＣＣプロファイルである入力用ＩＣＣプロファイルを用いて、前記通常色をＬａｂ表色系の色に変換し、当該Ｌａｂ表色系の色を、前記出力用ＩＣＣプロファイルの前記通常色変換用部分を用いて、前記出力色に変換し、
前記特色を前記出力色に変換する場合、前記色変換処理は、前記出力用ＩＣＣプロファイルの前記特色変換用部分を用いて、前記特色に対応するＬａｂ表色系の色を、前記出力色に変換することを特徴とする請求項１に記載のプログラム。
【請求項３】
前記印刷データに対応して前記印刷装置で印刷される画像を示すデータである出力画像データを形成する画像形成処理を前記コンピュータに更に行わせ、
前記画像形成処理は、前記色変換処理により変換された前記出力色でカラー画像を示す前記出力画像データを形成することを特徴とする請求項１又は２に記載のプログラム。
【請求項４】
前記特色について前記色変換処理の前後の色をモニタに表示する変換色表示処理を前記コンピュータに更に行わせ、
前記変換色表示処理は、前記特色、前記特色に対応する前記出力色、及び前記特色と、当該出力色との色差を前記モニタに表示することを特徴とする請求項１から３のいずれかに記載のプログラム。
【請求項５】
前記特色に対応する前記出力色をユーザの操作に応じて調整する色調整処理と、
前記出力用ＩＣＣプロファイルの前記特色変換用部分により置換可能な色である置換可能色を定義する定義ファイルを更新する処理であり、前記色調整処理により調整された前記出力色の設定を前記定義ファイルに反映させる定義ファイル更新処理と
を前記コンピュータに更に行わせることを特徴とする請求項４に記載のプログラム。
【請求項６】
印刷データにおいて用いられる色に対するカラーマッチング処理を行うカラーマッチング方法であって、
前記印刷データにおいて用いられる色である入力色を取得する入力色取得段階と、
ＣＭＹＫインクを用いてカラー印刷を行う印刷装置の色再現性に応じたＩＣＣプロファイルである出力用ＩＣＣプロファイルを用いて、前記入力色を、前記印刷装置で用いられるＣＭＹＫインクにおける各色の混合比率により表現される色である出力色に変換する色変換段階と
を備え、
前記入力色取得段階は、少なくとも、ＣＭＹＫインクにより表現可能な色として予め用意された色である通常色以外の色である特色を前記入力色として取得し、
前記出力用ＩＣＣプロファイルは、前記通常色を前記出力色に変換する場合に用いる通常色変換用部分と、前記特色を前記出力色に変換する場合に用いる特色変換用部分とを有し、
前記色変換段階は、前記出力用ＩＣＣプロファイルにおける前記特色変換用部分を用いて、前記特色を前記出力色に変換することを特徴とするカラーマッチング方法。
【請求項７】
印刷データにおいて用いられる色に対するカラーマッチング処理を行うカラーマッチング処理部と、ＣＭＹＫインクを用いてカラー印刷を行う印刷装置とを備える印刷システムであって、
前記カラーマッチング処理部は、
前記印刷データにおいて用いられる色である入力色を取得する入力色取得処理部と、
前記印刷装置の色再現性に応じたＩＣＣプロファイルである出力用ＩＣＣプロファイルを用いて、前記入力色を、前記印刷装置で用いられるＣＭＹＫインクにおける各色の混合比率により表現される色である出力色に変換する色変換処理部と
を備え、
前記入力色取得処理部は、少なくとも、ＣＭＹＫインクにより表現可能な色として予め用意された色である通常色以外の色である特色を前記入力色として取得し、
前記出力用ＩＣＣプロファイルは、前記通常色を前記出力色に変換する場合に用いる通常色変換用部分と、前記特色を前記出力色に変換する場合に用いる特色変換用部分とを有し、
前記色変換処理部は、前記出力用ＩＣＣプロファイルにおける前記特色変換用部分を用いて、前記特色を前記出力色に変換することを特徴とする印刷システム。
【発明の詳細な説明】
【技術分野】
【０００１】
本発明は、プログラム、カラーマッチング方法、及び印刷システムに関する。
【背景技術】
【０００２】
従来、ＣＭＹＫインクを用いて印刷を行う印刷装置が広く用いられている。また、このような印刷装置で印刷を行う場合、例えばカラーマッチング処理により、印刷データを作成したアプリケーションソフトにおいて指定した色は、ＣＭＹＫインクに対応するＣＭＹＫ値により表現される色に変換される。
【０００３】
ここで、印刷データを作成するアプリケーションソフトにおいては、ＣＭＹＫインクにより表現可能な色として予め用意された色（通常色）以外に、スポットカラーやカスタムカラー等として設定された特色が用いられる場合がある。このような場合、印刷時のカラーマッチング処理において、特色を、印刷装置で表現可能な出力色に置換することが必要になる場合がある。印刷装置で表現可能な出力色は、例えば、その印刷装置で用いられるＣＭＹＫインクにおける各色の混合比率により表現される色である。
【発明の開示】
【発明が解決しようとする課題】
【０００４】
印刷データで用いられる色として、スポットカラー等の特色が指定されており、その特色を、印刷装置で表現可能な色に置換する場合、印刷装置の特性に合わせて置換を行い、より高い近似度の色彩で印刷を行うことが望まれる。
【０００５】
しかし、このような置換を行う場合に、例えば、特色に対応する出力色の混合比率を、ユーザの手作業により探すとすると、ユーザの負担が大きくなりすぎ、効率的に印刷を行うことが困難になるおそれがある。そのため、特色の置換を行う場合、ユーザに大きな手間をかけることなく、かつ、高い近似度の色彩で印刷を行うことが可能な方法を用いることが望まれる。
【０００６】
尚、従来、特色が用いられている場合のカラーマッチング処理について、例えば、スポットカラーを名称に対応付けて記載した名前付きプロファイルをカラーマッチングのためにダウンロードして、カラーマッチング処理を行う方法が知られている（例えば、特許文献１参照。）。また、例えば、特色名称と少なくともＣＭＹＫの成分とが含まれている特色データを用い、特色を自動的に登録する方法が知られている（例えば、特許文献２参照。）。
【０００７】
しかし、例えばユーザの手間を増大させずに、より高い近似度の色彩で印刷で行うためには、より適切な方法でカラーマッチング処理を行うことが望まれる場合がある。そこで、本発明は、上記の課題を解決できるプログラム、カラーマッチング方法、及び印刷システムを提供することを目的とする。
【特許文献１】特開２００７−２９５４００号公報
【特許文献２】特開２００６−１５５４９９号公報
【課題を解決するための手段】
【０００８】
上記の課題を解決するために、本発明は、以下の構成を有する。
（構成１）印刷データにおいて用いられる色に対するカラーマッチング処理をコンピュータに行わせるプログラムであって、印刷データにおいて用いられる色である入力色を取得する入力色取得処理と、ＣＭＹＫインクを用いてカラー印刷を行う印刷装置の色再現性に応じたＩＣＣプロファイルである出力用ＩＣＣプロファイルを用いて、入力色を、印刷装置で用いられるＣＭＹＫインクにおける各色の混合比率により表現される色である出力色に変換する色変換処理とをコンピュータに実行させ、入力色取得処理は、少なくとも、ＣＭＹＫインクにより表現可能な色として予め用意された色である通常色以外の色である特色を入力色として取得し、出力用ＩＣＣプロファイルは、通常色を出力色に変換する場合に用いる通常色変換用部分と、特色を出力色に変換する場合に用いる特色変換用部分とを有し、色変換処理は、出力用ＩＣＣプロファイルにおける特色変換用部分を用いて、特色を出力色に変換する。入力色取得処理は、特色に加え、通常色を入力色として取得してよい。また、色変換処理は、出力用ＩＣＣプロファイルにおける通常色変換用部分を用いて、通常色を出力色に変換してよい。
【０００９】
このプログラムは、例えばＣＤ−ＲＯＭ等の記録媒体に記録された状態で提供され、コンピュータにインストールされる。コンピュータは、例えば印刷装置の動作を制御するホストコンピュータである。このコンピュータは、例えば印刷装置の外部に設けられる。また、このコンピュータは、印刷装置に内蔵されてもよい。
【００１０】
ＣＭＹＫインクにより表現可能な色とは、例えば、Ｃ（シアン）、Ｍ（マゼンダ）、Ｙ（イエロー）、Ｋ（ブラック）の４色のインクの混合により表現可能な色である。通常色は、例えば、これらの４色のインクの混合により表現される色である。また、特色は、例えば、金色、銀色、パステルカラー等の、これらの４色のインクの混合では表現が難しい色である。特色は、ＣＭＹＫインクにより表現可能な色のうち、通常色として用意された色以外の色であってもよい。特色は、例えば、印刷データを作成するアプリケーションソフトにおいて、スポットカラー又はカスタムカラー等として設定される。また、出力色について、ＣＭＹＫインクにおける各色の混合比率により表現されるとは、例えば、混合比率と対応付け可能な数値等により表現されることであってもよい。
【００１１】
このように構成すれば、例えば、特色を置換する色として、印刷装置の色再現性に合わせて設定された出力色を適切に用いることができる。また、これにより、高い近似度の色彩で適切に特色を印刷できる。更には、出力用ＩＣＣプロファイル中に予め設定された特色変換用部分を用いて特色の置換を行うことにより、印刷時にユーザに手間をかけることもない。そのため、ユーザの手間を増大させずに、高い近似度の色彩で特色の印刷で行うことができる。
【００１２】
ここで、出力用ＩＣＣプロファイルを用いて特色の置換を行うためには、通常色変換用部分と、特色変換用部分とを分けずに、通常色と共通の設定で特色の置換を行えばよいようにも考えられる。しかし、出力用ＩＣＣプロファイルは、例えばカラーマッチング処理の結果をより好ましい色彩に調整する場合等に、編集されることもある。そして、このような編集が行われた場合、編集後の出力用ＩＣＣプロファイルを参照して特色の置換を行うと、編集した分だけ、特色の置換に誤差が生じるおそれがある。また、その結果、高い近似度の色彩で特色の印刷で行うことが困難になるおそれがある。
【００１３】
これに対し、構成１においては、出力用ＩＣＣプロファイル内に、通常色変換用部分と、特色変換用部分とを別個に設けている。この場合、例えば特色変換用部分に影響を与えることなく、通常色変換用部分を適宜編集できる。そのため、例えば通常色変換用部分の編集を行った場合にも、高い近似度の色彩での特色の印刷を適切に行うことができる。
【００１４】
尚、ＩＣＣプロファイルのフォーマット上、データ領域は、任意に拡張可能な仕様である。そのため、例えば、通常色に対して従来用いられているのと同一又は同様の出力用ＩＣＣプロファイルのデータ領域を拡張し、この拡張した領域を特色変換用部分として用いることができる。この場合、例えば、拡張前のＩＣＣプロファイルに相当する部分が、通常色変換用部分となる。また、特色変換用部分には、特色の色置換用のＩＣＣプロファイル（高精度色置換ＩＣＣ）に相当する内容が登録される。
【００１５】
このように構成すれば、、例えば、物理的に一つのＩＣＣプロファイル内に、通常色変換用部分と、特色変換用部分とを適切に設けることができる。また、ユーザにとって、色置換用のＩＣＣプロファイルを別途インストールする手間等が不必要になる。これにより、ユーザの手間を適切に低減できる。
【００１６】
（構成２）入力色取得処理は、通常色を、入力色として更に取得し、色変換処理は、出力用ＩＣＣプロファイルにおける通常色変換用部分を用いて、通常色を出力色に変換し、通常色は、ＣＭＹＫ表色系で表現される色であり、特色は、Ｌａｂ表色系で表現される色であり、出力用ＩＣＣプロファイルは、Ｌａｂ表色系で表現される色と、印刷装置で表現可能な範囲内にあるＣＭＹＫ表色系の色とを対応付けるＩＣＣプロファイルであり、出力用ＩＣＣプロファイルの特色変換用部分は、Ｌａｂ表色系で表現される特色と、特色に代えて印刷時に使用する出力色とを対応付け、通常色を出力色に変換する場合、色変換処理は、ＣＭＹＫ表色系で表現される通常色と、Ｌａｂ表色系で表現される色とを対応付けるＩＣＣプロファイルである入力用ＩＣＣプロファイルを用いて、通常色をＬａｂ表色系の色に変換し、当該Ｌａｂ表色系の色を、出力用ＩＣＣプロファイルの通常色変換用部分を用いて、出力色に変換し、特色を出力色に変換する場合、色変換処理は、出力用ＩＣＣプロファイルの特色変換用部分を用いて、特色に対応するＬａｂ表色系の色を、出力色に変換する。
【００１７】
このように構成すれば、通常色及び特色のそれぞれを、それぞれに対応する出力色に適切に変換できる。また、これにより、例えば、高い近似度の色彩の出力色に、特色を適切に置換できる。
【００１８】
尚、Ｌａｂ表色系で表現される色とは、例えば、Ｌａｂ表色系のＬａｂ値で指定される色である。Ｌａｂ値とは、例えば、Ｌ軸、ａ軸、ｂ軸の値である。Ｌａｂ表色系で表現される色は、Ｌａｂ値と対応付け可能なパラメータで指定される色であってもよい。ＣＭＹＫ表色系で表現される色とは、例えばＣＭＹＫインクにおける各色の混合比率（ＣＭＹＫ値）で指定される色である。ＣＭＹＫ表色系で表現される色は、この混合比率と対応付け可能なパラメータで指定される色であってもよい。通常色は、例えば、オフセット印刷機用の所定のＣＭＹＫインクにおける各色の混合比率により表現される。
【００１９】
（構成３）印刷データに対応して印刷装置で印刷される画像を示すデータである出力画像データを形成する画像形成処理をコンピュータに更に行わせ、画像形成処理は、色変換処理により変換された出力色でカラー画像を示す出力画像データを形成する。このプログラムは、例えば、ＲＩＰ（Ｒａｓｔｅｒ  Ｉｍａｇｅ  Ｐｒｏｃｅｓｓｅｒ）処理をコンピュータに行わせるＲＩＰ処理用のプログラムである。このように構成すれば、例えば、高い近似度の色彩の出力色に特色を置換して、印刷データに対応する印刷を適切に行うことができる。
【００２０】
（構成４）特色について色変換処理の前後の色をモニタに表示する変換色表示処理をコンピュータに更に行わせ、変換色表示処理は、特色、特色に対応する出力色、及び特色と、当該出力色との色差をモニタに表示する。このように構成すれば、例えば、特色がどのように置換されるかを、ユーザに適切に確認させることができる。
【００２１】
このプログラムは、ＲＩＰ処理用のプログラムとは別のプログラムであってよい。例えば、このプログラムは、出力用ＩＣＣプロファイルの特色変換用部分により置換可能な色（置換可能色）を定義する定義ファイルを調整するプログラムであってよい。また、このプログラムは、例えば、ＲＩＰ処理用のプログラムの一部を構成するプログラムであってもよい。
【００２２】
（構成５）特色に対応する出力色をユーザの操作に応じて調整する色調整処理と、出力用ＩＣＣプロファイルの特色変換用部分により置換可能な色である置換可能色を定義する定義ファイルを更新する処理であり、色調整処理により調整された出力色の設定を定義ファイルに反映させる定義ファイル更新処理とをコンピュータに更に行わせる。このように構成すれば、例えば、出力色を適切に調整できる。また、これにより、特色をより適切に置換できる。
【００２３】
（構成６）印刷データにおいて用いられる色に対するカラーマッチング処理を行うカラーマッチング方法であって、印刷データにおいて用いられる色である入力色を取得する入力色取得段階と、ＣＭＹＫインクを用いてカラー印刷を行う印刷装置の色再現性に応じたＩＣＣプロファイルである出力用ＩＣＣプロファイルを用いて、入力色を、印刷装置で用いられるＣＭＹＫインクにおける各色の混合比率により表現される色である出力色に変換する色変換段階とを備え、入力色取得段階は、少なくとも、ＣＭＹＫインクにより表現可能な色として予め用意された色である通常色以外の色である特色を入力色として取得し、出力用ＩＣＣプロファイルは、通常色を出力色に変換する場合に用いる通常色変換用部分と、特色を出力色に変換する場合に用いる特色変換用部分とを有し、色変換段階は、出力用ＩＣＣプロファイルにおける特色変換用部分を用いて、特色を出力色に変換する。このようにすれば、例えば、構成１と同様の効果を得ることができる。
【００２４】
（構成７）印刷データにおいて用いられる色に対するカラーマッチング処理を行うカラーマッチング処理部と、ＣＭＹＫインクを用いてカラー印刷を行う印刷装置とを備える印刷システムであって、カラーマッチング処理部は、印刷データにおいて用いられる色である入力色を取得する入力色取得処理部と、印刷装置の色再現性に応じたＩＣＣプロファイルである出力用ＩＣＣプロファイルを用いて、入力色を、印刷装置で用いられるＣＭＹＫインクにおける各色の混合比率により表現される色である出力色に変換する色変換処理部とを備え、入力色取得処理部は、少なくとも、ＣＭＹＫインクにより表現可能な色として予め用意された色である通常色以外の色である特色とを入力色として取得し、出力用ＩＣＣプロファイルは、通常色を出力色に変換する場合に用いる通常色変換用部分と、特色を出力色に変換する場合に用いる特色変換用部分とを有し、色変換処理部は、出力用ＩＣＣプロファイルにおける特色変換用部分を用いて、特色を出力色に変換する。このように構成すれば、例えば、構成１と同様の効果を得ることができる。
【００２５】
尚、カラーマッチング処理部は、例えばコンピュータである。このコンピュータは、例えば所定のプログラムに応じて、カラーマッチング処理部として動作する。この場合、例えばコンピュータのＣＰＵが、プログラムに応じて、入力色取得処理部、及び色変換処理部として動作する。
【発明の効果】
【００２６】
本発明によれば、例えば、高い近似度の色彩で適切に特色を印刷できる。
【発明を実施するための最良の形態】
【００２７】
以下、本発明に係る実施形態を、図面を参照しながら説明する。図１は、本発明の一実施形態に係るプログラムを使用する印刷システム１０の一例を示す。図１（ａ）は、印刷システム１０の構成の一例を示す。
【００２８】
印刷システム１０は、ＣＭＹＫインクを用いてカラー印刷を行う印刷システムであり、印刷装置１４、モニタ１６、及びＰＣ１２を備える。印刷装置１４は、ＣＭＹＫインクを用いてカラー印刷を行うインクジェットプリンタであり、例えば、ＰＣ１２から受け取る出力画像データに応じて、印刷を行う。モニタ１６は、ＰＣ１２に接続されるモニタである。
【００２９】
ＰＣ１２は、印刷装置１４の外部に設けられたホストコンピュータであり、印刷装置１４の動作を制御する。また、ＰＣ１２は、例えばポストスクリプトファイルやＰＤＦファイル等の印刷データを外部から受け取り、受け取った印刷データに基づき、画像形成処理の一例であるＲＩＰ処理を行う。このＲＩＰ処理は、例えば印刷装置１４が直接解釈可能なコマンドデータを生成する処理である。ＰＣ１２は、ＲＩＰ処理により、印刷装置１４が直接解釈可能なコマンドデータを生成する。本例において、ＰＣ１２は、このコマンドデータとして、印刷装置１４で印刷される画像を示すデータである出力画像データを生成する。出力画像データは、例えば、印刷装置１４が直接解釈可能なコマンドと、画像を示す２値データとを含むデータである。
【００３０】
このコマンドは、例えば、印刷のパス数等の印刷条件、インクの指定等を行うコマンドである。画像を示す２値データは、例えば、ノズルからのインクの吐出の有無を示す２値データ群である。出力画像データは、コマンドにより指定されるインク毎にそれぞれ対応する複数の２値データ群を含んでよい。例えば、出力画像データは、ＣＭＹＫインクの各色にそれぞれ対応する複数の２値データ群を含む。
【００３１】
尚、ＰＣ１２は、印刷システム１０の外部のコンピュータ上でのアプリケーションソフトを用いて作成された印刷データに基づき、出力画像データを形成する。ＰＣ１２は、ＰＣ１２上でのアプリケーションソフトを用いて作成された印刷データに対して、出力画像データを形成してもよい。また、ＰＣ１２は、例えば予めインストールされたＲＩＰ処理用のプログラムに応じて、ＲＩＰ処理を行う。そして、ＲＩＰ処理の中で、カラーマッチング処理部として動作し、印刷データにおいて用いられる色に対するカラーマッチング処理を行う。
【００３２】
ここで、本例のＲＩＰ処理において、ＰＣ１２は、予め設定された出力用ＩＣＣプロファイルを用いて、色変換処理を行う。例えば、印刷データを作成するアプリケーションソフトにおいて、印刷装置１４で表現可能な範囲外にある色の特色が設定されており、その特色が印刷データにおいて用いられている場合、色変換処理により、この特色を、印刷装置１４で表現可能な範囲内にある出力色に置換する。これにより、ＰＣ１２は、ＲＩＰ処理において、色変換処理により変換された出力色でカラー画像を示す出力画像データを形成する。
【００３３】
尚、特色とは、例えば、ＣＭＹＫインクにより表現可能な色として予め用意された色である通常色以外の色である。特色は、アプリケーションソフトにおいてスポットカラー又はカスタムカラー等として設定される色であってよい。また、出力色は、印刷装置１４での印刷時に使用する色であり、例えば、印刷装置１４で用いられるＣＭＹＫインクにおける各色の混合比率により表現される。
【００３４】
以下、ＰＣ１２が行うカラーマッチング処理について説明する。本例において、ＰＣ１２は、ＲＩＰ処理中において、入力用ＩＣＣプロファイル及び出力用ＩＣＣプロファイルを用いてカラーマッチング処理を行う。
【００３５】
入力用ＩＣＣプロファイルは、入力側デバイスの特性に合わせて設定されたＩＣＣプロファイルであり、通常色に対するカラーマッチング処理に用いられる。本例において、入力用ＩＣＣプロファイルは、例えば、ＣＭＹＫ表色系で表現される通常色と、Ｌａｂ表色系で表現される色とを対応付ける。入力側デバイスの特性としては、例えば、オフセット印刷機用の所定のＣＭＹＫインクの特性が用いられる。この場合、通常色は、例えば、オフセット印刷機用の所定のＣＭＹＫインクにおける各色の混合比率により表現される。
【００３６】
出力用ＩＣＣプロファイルは、出力側デバイスの特性に合わせて設定されたＩＣＣプロファイルであり、通常色、及び特色のカラーマッチング処理に用いられる。本例において、出力用ＩＣＣプロファイルは、印刷装置１４の色再現性に応じたＩＣＣプロファイルであり、Ｌａｂ表色系で表現される色と、印刷装置１４で表現可能な範囲（ガマット）内にあるＣＭＹＫ表色系の色とを対応付ける。印刷装置１４で表現可能な範囲内にあるＣＭＹＫ表色系の色とは、例えば、印刷装置１４で用いられるＣＭＹＫインクの混合比率により表現される色である。
【００３７】
尚、本例において、特色は、Ｌａｂ表色系で表現される。そのため、ＰＣ１２は、入力用ＩＣＣプロファイルを用いることなく、出力用ＩＣＣプロファイルにより、特色を、出力色に直接置換する。
【００３８】
図１（ｂ）は、出力用ＩＣＣプロファイル２０の構成の一例を示す。本例において、出力用ＩＣＣプロファイル２０は、通常色変換用部分２２及び特色変換用部分２４を有する。通常色変換用部分２２は、通常色に対するカラーマッチング処理において入力用ＩＣＣプロファイルと共に用いられる部分である。通常色変換用部分２２には、例えば公知のカラーマッチング処理において用いられる出力用ＩＣＣプロファイルと同一又は同様の内容が設定される。本例において、通常色変換用部分２２は、例えば、入力用ＩＣＣプロファイルにおいて通常色と対応付けられているＬａｂ表色系の色と、印刷装置１４で表現可能な範囲内にあるＣＭＹＫ表色系の色とを対応付ける。
【００３９】
特色変換用部分２４は、特色に対するカラーマッチング処理において用いられる部分である。本例において、特色変換用部分２４は、Ｌａｂ表色系で表現される特色と、特色に代えて印刷時に使用する出力色とを対応付ける。これにより、特色変換用部分２４は、特色の置換色として用いる出力色を設定する。この置換色としては、予め設定された特色の近似色が用いられる。
【００４０】
図２は、ＰＣ１２が行うカラーマッチング処理について更に詳しく説明する図である。カラーマッチング処理を行う場合、本例のＰＣ１２は、プログラムに応じて、例えば、入力色取得処理及び色変換処理を行う。入力色取得処理は、印刷データにおいて用いられる色である入力色を取得する処理である。入力色取得処理において、ＰＣ１２は、印刷データにおいて用いられている各色を、入力色として取得する。また、入力色が通常色又は特色のいずれであるかを区別し、その結果に応じて、各色に対する色変換処理を行う。例えば、印刷データ１０２において、通常色が指定されている領域１０４、及び特色が指定されている領域１０６がある場合、ＰＣ１２は、領域１０４の色に対し、通常色に対する方法で色変換処理を行う。領域１０６の色に対し、特色に対する方法で色変換処理を行う。
【００４１】
色変換処理は、印刷装置１４での印刷時に使用する出力色に入力色を変換する処理である。通常色である入力色を出力色に変換する場合、色変換処理において、ＰＣ１２は、入力用ＩＣＣプロファイル３０、及び出力用ＩＣＣプロファイル２０の通常色変換用部分２２を用いて、色の変換を行う。この場合、例えば印刷データ１０２の領域１０４に対応する処理として図示してあるように、ＰＣ１２は、先ず、入力用ＩＣＣプロファイル３０を用いて、ＣＭＹＫ表色系の色である通常色を、Ｌａｂ表色系の色に変換する。そして、出力用ＩＣＣプロファイル２０の通常色変換用部分２２を用いて、このＬａｂ表色系の色を、ＣＭＹＫ表色系の出力色に変換する。これにより、ＰＣ１２は、通常色に対するカラーマッチング処理を行う。
【００４２】
また、特色である入力色を出力色に変換する場合、ＰＣ１２は、出力用ＩＣＣプロファイル２０の特色変換用部分２４を用いて、色の変換を行う。この場合、例えば印刷データ１０２の領域１０６に対応する処理として図示してあるように、ＰＣ１２は、特色変換用部分２４により、特色に対応するＬａｂ表色系の色を、ＣＭＹＫ表色系の出力色に変換する。
【００４３】
尚、ＣＭＹＫ表色系の色とは、例えば、ＣＭＹＫインクにおける各色の混合比率を示すＣＭＹＫ値で表現される色である。また、Ｌａｂ表色系の色とは、例えば、Ｌａｂ値で表現される色である。ＰＣ１２は、例えば、特色の設定を保存する特色ライブラリ内を検索することにより、特色の色名に基づき、その特色のＬａｂ値を取得する。
【００４４】
以上のようにして、ＰＣ１２は、特色に対するカラーマッチング処理を行う。また、このカラーマッチング処理により、特色を、印刷装置１４で表現可能な範囲内にある出力色に置換する。
【００４５】
ここで、ＰＣ１２は、このカラーマッチング処理を例えばＲＩＰ処理の中で行う。そして、ＲＩＰ処理で形成した出力画像データを印刷装置１４へ送る。印刷装置１４は、この出力画像データに基づく印刷を行うことにより、印刷結果２０２を出力する。これにより、印刷結果２０２において、印刷データ１０２の領域１０４と対応する領域２０４の色は、領域１０４に対して指定されている通常色に対応する出力色となる。また、印刷データ１０２の領域１０６と対応する領域２０６の色は、領域１０６に対して指定されている特色に対応する出力色となる。
【００４６】
本例によれば、例えば、通常色及び特色のそれぞれを、それぞれに対応する出力色に適切に変換できる。また、特色の置換色を出力用ＩＣＣプロファイル２０の特色変換用部分２４に予め設定しておくことにより、特色の置換色として、印刷装置１４の色再現性に合わせて設定された出力色を適切に用いることができる。これにより、例えば、高い近似度の色彩の出力色に、特色を適切に置換できる。
【００４７】
更には、本例において、ＰＣ１２は、出力用ＩＣＣプロファイル２０中に予め設定された特色変換用部分２４を用いて、特色の置換を行う。そのため、特色を置換する出力色のＣＭＹＫ値を、ユーザが自分で探す必要はない。従って、本例によれば、例えば、ユーザの手間を増大させずに、高い近似度の色彩で特色の印刷で行うことができる。
【００４８】
尚、ＰＣ１２は、カラーマッチング処理の結果を、モニタ１６に表示してもよい。例えば、ガマットチェック時等において、ＲＩＰ処理において形成した出力画像データを、モニタ１６に表示してもよい。
【００４９】
また、ＰＣ１２は、ＲＩＰ処理以外の処理において上記と同様のカラーマッチング処理を行ってよい。例えば、本例において、ＰＣ１２は、出力用ＩＣＣプロファイル２０の特色変換用部分２４により置換可能な色（置換可能色）を定義する定義ファイルの調整時等に、定義ファイル調整用のプログラムに応じて、カラーマッチング処理を行う。そして、その結果を、モニタ１６に表示する。このプログラムは、例えば、ＲＩＰ処理用のプログラムとは別のプログラムであり、例えば特色と置換される出力色（置換色）の確認及び調整時に実行される。尚、定義ファイルを使用する場合、ＰＣ１２は、ＲＩＰ処理時に行う色変換処理において、例えば、定義ファイルに更に基づき、特色を、出力色へ変換する。
【００５０】
図３は、定義ファイル調整用のプログラムの一例について説明する図であり、このプログラムによりモニタ１６に表示される画面３００の一例を示す。本例において、ＰＣ１２は、このプログラムに応じて、画面３００内に、カラー情報表示部３０６、入力値表示部３０２、出力値設定部３０４、及びコレクション情報表示部３０８を表示する。
【００５１】
カラー情報表示部３０６は、調整の対象となる特色の選択をユーザから受け付ける。本例において、ＰＣ１２は、カラー情報表示部３０６内のオプションボタンにより、画像内の置換可能色のみ表示するか、色置換セット内の未使用色のみの表示を行うかをユーザから受け付ける。画像内の置換可能色のみ表示するとは、例えば、指定された印刷データにおいて用いられている特色のうち、定義ファイル内に置換可能色として定義されている色を表示することである。また、色置換セット内の未使用色のみの表示を行うとは、例えば、定義ファイル内に置換可能色として定義されている色のうち、指定された印刷データにおいて使用されていない色を表示することである。
【００５２】
また、ＰＣ１２は、オプションボタンの選択に応じて、指定された特色の情報を、カラー情報表示部３０６内に一覧表示する。これにより、ＰＣ１２は、入力色取得処理に対応する処理を行い、印刷データにおいて用いられる入力色を取得する。そして、ＰＣ１２は、入力色であるそれぞれの特色について、色名及び特色の入力値を一覧表示する。特色の入力値とは、特色の色を指定するパラメータである。
【００５３】
ここで、本例において、ＰＣ１２は、ＤＩＣ社により設定された特色（ＤＩＣカラー）に対する出力用ＩＣＣプロファイル２０の設定を調整する。この特色は、例えばイラストレータ等のアプリケーションソフトにおいてスポットカラー指定して使用される。また、この特色に対しては、Ｌａｂ値に加え、このＬａｂ値に対応するＣＭＹＫ値も設定されている。
【００５４】
本例において、ＰＣ１２は、特色の入力値として、特色に対して設定されているＣＭＹＫ値を表示する。ＰＣ１２は、この入力値を、例えば、プログラムの内部で管理する所定の特色ライブラリを用いて取得する。
【００５５】
そして、一覧の表示後、一覧表示した特色の中の一又は複数の行をユーザが選択する動作に応じて、ＰＣ１２は、ユーザによる一又は複数の特色の選択を受け付ける。また、ユーザが全選択ボタンを押した場合、ＰＣ１２は、一覧表示内の全行の特色に対する選択を受け付ける。
【００５６】
そして、ユーザが出力値取得ボタンを押すのに応じて、ＰＣ１２は、例えば出力用ＩＣＣプロファイル２０の特色変換用部分２４を検索することにより、選択されている特色に対応する出力色を取得し、出力色の出力値を一覧表示内に表示する。この出力値は、例えば、出力色を示すＣＭＹＫ値である。
【００５７】
更に、ＰＣ１２は、この出力値に基づき、特色と出力色との色差（ΔＥ）を算出し、一覧表示内に表示する。これにより、ＰＣ１２は、特色と出力色とがどの程度の近似色であるかを表示する。また、ＰＣ１２は、選択された特色、及びその特色に対応する出力色をプレビュー表示する。
【００５８】
本例において、ＰＣ１２は、選択された特色を、入力値のＣＭＹＫ値に基づき、カラー情報表示部３０６内に、Ｐｒｏｆｉｌｅカラーとして表示する。このＰｒｏｆｉｌｅカラーは、特色の置換を行わずにＲＩＰ処理を行った場合に相当する色である。Ｐｒｏｆｉｌｅカラーを表示する処理において、ＰＣ１２は、例えば図２を用いて説明したカラーマッチング処理において通常色を出力色に変換する場合（通常のルート）と同一又は同様にして、特色を、出力色に変換する。この場合、ＰＣ１２は、例えば、入力用ＩＣＣプロファイル３０を用いて、特色の入力値のＣＭＹＫ値を、Ｌａｂ値に変換する。そして、出力用ＩＣＣプロファイル２０の通常色変換用部分２２を用いて、このＬａｂ値を、ＣＭＹＫ値に変換する。そして、このＣＭＹＫ値に対応する色を、Ｐｒｏｆｉｌｅカラーとして表示する。
【００５９】
また、ＰＣ１２は、色置換を行った場合の出力色を、カラー情報表示部３０６内に、色置換カラーとして表示する。色置換カラーの表示を行う動作において、ＰＣ１２は、例えば、図２を用いて説明したのと同一又は同様のカラーマッチング処理において特色を出力色に変換する場合（色置換実行時）と同一又は同様にして、特色を出力色に変換する。例えば、このカラーマッチング処理において、ＰＣ１２は、出力用ＩＣＣプロファイル２０の特色変換用部分２４を用いて色変換処理を行い、特色のＬａｂ値を、出力色のＣＭＹＫ値に変換する。そして、このＣＭＹＫ値に対応する色を、色置換カラーとして表示する。これにより、ＰＣ１２は、変換色表示処理を行い、特色について色変換処理の前後の色をモニタ１６に表示する。
【００６０】
尚、特色変換用部分２４において、選択された特色に対応する設定がなされていない場合、ＰＣ１２は、出力用ＩＣＣプロファイル２０の通常色変換用部分２２を用いて、特色のＬａｂ値を、ＣＭＹＫ値に変換する。これにより、ＰＣ１２は、特色に対応する出力色の初期値を設定する。
【００６１】
また、ＰＣ１２は、選択された特色の色名、入力値のＣＭＹＫ値に対応する色（入力色）、及び入力値のＣＭＹＫ値を、入力値表示部３０２に表示する。この入力色は、入力値のＣＭＹＫ値により表現される色である。また、ＰＣ１２は、特色の出力値のＣＭＹＫ値を、出力値設定部３０４に表示する。
【００６２】
また、本例において、ＰＣ１２は、更に、出力値設定部３０４に対するユーザの入力に応じて、出力値のＣＭＹＫ値を変更する。これにより、ＰＣ１２は、色調整処理を行い、ユーザの操作に応じて、特色に対応する出力色を調整する。また、ＰＣ１２は、出力値設定部３０４における設定ボタンをユーザが押すのに応じて、定義ファイル更新処理を行う。これにより、ＰＣ１２は、色調整処理により調整された出力色の設定を、定義ファイルに反映させる。
【００６３】
コレクション情報表示部３０８は、特色ライブラリ全体に関する情報を表示する欄である。本例において、コレクション情報表示部３０８は、特色の色及び色名をツリー表示する。コレクション情報表示部３０８は、カラー情報表示部３０６の表示対象となるカラーコレクションの選択をユーザから受け付けてもよい。
【００６４】
本例によれば、例えば、特色がどのように置換されるかを、ユーザに確認させることができる。また、ユーザの操作に応じて、例えば、特色に対応する出力色を適切に調整できる。これにより、例えば、特色をより高い精度で近似色に色置換できる。
【００６５】
尚、本例による色の置換は、他の方法による色の置換と併用することも可能である。例えば、あるカラーコレクションの特色に対して他の方法により色の置換が設定されている場合等に、それ以外の特色に対して、本例の方法により、ユーザが指定する色置換の設定を追加できる。また、グラデーション色置換との併用も可能である。そのため、本例によれば、ユーザによる変更の自由度が高い方法により、特色の置換を適切に行うことができる。
【００６６】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００６７】
本発明は、例えば、印刷システムに好適に利用できる。
【図面の簡単な説明】
【００６８】
【図１】本発明の一実施形態に係るプログラムを使用する印刷システム１０の一例を示す図である。図１（ａ）は、印刷システム１０の構成の一例を示す。図１（ｂ）は、出力用ＩＣＣプロファイル２０の構成の一例を示す。
【図２】ＰＣ１２が行うカラーマッチング処理について更に詳しく説明する図である。
【図３】定義ファイル調整用のプログラムの一例について説明する図である。
【符号の説明】
【００６９】
１０・・・印刷システム、１２・・・ＰＣ、１４・・・印刷装置、１６・・・モニタ、２０・・・出力用ＩＣＣプロファイル、２２・・・通常色変換用部分、２４・・・特色変換用部分、３０・・・入力用ＩＣＣプロファイル、１０２・・・印刷データ、１０４・・・領域、１０６・・・領域、２０２・・・印刷結果、２０４・・・領域、２０６・・・領域、３００・・・画面、３０２・・・入力値表示部、３０４・・・出力値設定部、３０６・・・カラー情報表示部、３０８・・・コレクション情報表示部
【図１】
2010010862.tif 000003
【図２】
2010010862.tif 000004
【図３】
2010010862.tif 000005